(57)【特許請求の範囲】
【請求項１】
送受信機を有する遠隔無線通信デバイスで用いられる集積回路（１０）であって：
バス（ＰＢＵＳ）と結合される出力を有するマイクロコントローラ（２８）；
前記バスと結合される第１端子，データ信号を受信するために結合される第２端子，およびコマンド信号を供給するための第３端子を有し、前記データ信号を受信する際に前記コマンド信号を発生するメッセージ制御回路（２０）；
前記バスと結合される第１端子，前記メッセージ制御回路から前記コマンド信号を受け取るために結合される第２端子，および周波数合成制御信号を供給するための第３端子を有し、前記マイクロコントローラ（２８）が非アクティブ化されている場合においても、前記コマンド信号に応答して前記周波数合成制御信号を発生する周波数合成制御回路（３８）；および
前記周波数制御回路（３８）の第３端子と結合される第１端子，基準周波数を供給する第２端子を有する周波数合成器（１８）であって、前記周波数合成制御信号がオフ状態を有する場合に非アクティブ化され、前記周波数合成信号がオン状態を有する場合に前記基準周波数を前記送受信機に供給する前記周波数合成器（１８）；
を備える集積回路。
【請求項２】
前記周波数合成制御回路（３８）は：
前記メッセージ制御回路から前記コマンド信号を受け取るために結合される入力を有する状態機械（５２）；および、
前記バスと結合される第１入力，前記状態機械の第１出力と結合される第２入力，前記状態機械の第２出力と結合される制御入力，および前記周波数合成制御回路の前記第３端子と結合される出力；
を含むことを特徴とする請求項１記載の集積回路。
【請求項３】
無線通信装置であって：
被伝送データを受信するために結合される入力を有する受信機（１２）；
入力と、基準周波数を、前記受信機の制御入力に与えるための出力とを有する周波数合成器（１８）；
バス（ＰＢＵＳ）と結合される出力を有するマイクロコントローラ（２８）；
前記バスと結合される第１端子，前記被伝送データを受信するために結合される第２端子，およびコマンド信号を供給するための第３端子を有し、前記被伝送データを受信する際に前記コマンド信号を発生するメッセージ制御回路（２０）；および、
前記バスと結合される第１端子，前記メッセージ制御回路から前記コマンド信号を受け取るために結合される第２端子，および周波数合成制御信号を、前記周波数合成器の入力に供給するための第３端子を有し、前記マイクロコントローラ（２８）が非アクティブ化されている場合においても、前記コマンド信号に応答して前記周波数合成制御信号を発生する周波数合成制御回路（３８）；
を備え、前記周波数合成器（１８）は、前記周波数合成制御信号がオフ状態を有する場合に非アクティブ化され、前記周波数合成制御信号がオン状態を有する場合に前記基準周波数を前記受信機（１２）に供給する、装置。
【請求項４】
前記周波数合成制御回路（３８）は：
前記メッセージ制御回路から前記コマンド信号を受け取るために結合された入力を有する状態機械（５２）；および
前記バスと結合される第１入力，前記状態機械の第１出力と結合される第２入力，前記状態機械の第２出力と結合される制御入力，および前記周波数合成制御回路の前記第３端子と結合される出力を有するマルチプレクサ（４８）；
を含むことを特徴とする請求項３記載の無線通信装置。
【請求項５】
送受信機を有する遠隔無線通信デバイスで用いられる周波数合成器（１８）を制御する方法であって：
バス（ＰＢＵＳ）を介して、マイクロコントローラ（２８）から第１制御信号を発生する段階；
前記第１制御信号を用いてメッセージ制御回路（２０）及び前記周波数合成器（１８）を初期化する段階；
前記マイクロコントローラ（２８）を非アクティブ化する段階；
メッセージを受信する際に、前記メッセージ制御回路（２０）からコマンド信号を発生する段階；
前記マイクロコントローラ（２８）が非アクティブ化されている場合においても、前記コマンド信号に応答して、周波数合成制御回路（３８）から第２制御信号を発生する段階；
前記第２制御信号を、前記周波数合成器（１８）の制御入力に経路設定する段階；
前記第２制御信号がオフ状態を有する場合に前記周波数合成器（１８）を非アクティブ化する段階；
前記第２制御信号がオン状態を有する場合に前記基準周波数を前記周波数合成器（１８）から前記送受信機に供給する段階；
を備える方法。
【発明の詳細な説明】
【０００１】
【産業上の利用分野】
本発明は電子遠隔無線通信装置に関し、さらに詳しくは、シリアル周辺インタフェースと合体された周波数合成制御器に関する。
【０００２】
【従来の技術】
例えば、ページャ，セルラ電話および双方向無線を用いる無線通信では、メッセージは、基地局と遠隔装置の間、または複数の遠隔装置間で伝送される。ページャの用途では、基地局がメッセージをページャに伝送する。ページャは、メッセージが受信されたことをユーザに知らせ、ユーザのコマンドによって、ディスプレイ画面にメッセージを表示する。
【０００３】
遠隔無線通信装置（例：ページャ）の通常の構成は、被伝送メッセージを受信し、ダウンコンバートし、復調するための受信機セクションを含む。ページャは、一つの動作エリアから別の動作エリアへと移動（roam）するので、種々の伝送周波数に亘って動作しなければならない。したがって、受信機セクションは、周波数合成器を用いて、受信機セクションの基準周波数をプログラム可能な形で設定する。中央処理装置（ＣＰＵ）、または関連メモリを備えた他のマイクロコントローラは、シリアル周辺インタフェース（ＳＰＩ）を通る周辺バスを介して、メッセージ制御ブロックにメッセージを伝達する。メッセージ制御ブロックは、受信機セクションからメッセージを受け取る。メッセージ制御ブロックは、ＳＰＩを介してＣＰＵにメッセージを渡し、ＣＰＵがこれを処理して表示する。ＣＰＵはまた、もう一つのＳＰＩを通る周辺バスを介してメッセージを伝達し、周波数合成器の動作周波数のアクティブ化、非アクティブ化および設定を行う。システム・クロック発振器は、位相同期ループ（ＰＬＬ）を用いて、システム・クロック信号を発生して、ページャを動作させる。
【０００４】
全部でないにしても、ほとんどのページャは、バッテリ電源から動作電力を受け取る。節電は、バッテリ寿命を最大化するための重要な設計上の考慮事項である。先行技術では、メッセージ制御ブロックは、現在動作している、またはローミングしているエリアにおける有効な通信プロトコルに関する事前知識を有するように初期化される。通信プロトコルに従って、ページャは、既知のサイクルで繰り返し発生する狭い予め定められた窓（window）の間に、メッセージを受信する。メッセージ受信窓は、約２秒から約４秒間隔の範囲の頻度で繰り返し発生する。ＣＰＵ，メモリ，ＰＬＬ，ＳＰＩ，メッセージ制御ブロック，周波数合成器および受信機セクションは、窓の最中に動作していて、メッセージをモニタし、受信し、処理する。メッセージ受信窓の後、ＣＰＵ，メモリ，ＰＬＬ，ＳＰＩ，周波数合成器および受信機セクションは通常、非アクティブ化されるか、または休眠状態にされて、電力を節約する。メッセージ制御ブロックは、アクティブのままになって、メッセージ受信窓の発生タイミングを維持する。メッセージ受信窓の直前に、メッセージ制御ブロックは、割込制御器を介して割り込みを送り、ＣＰＵ，メモリ，ＰＬＬおよびＳＰＩブロックを覚醒させる。ＣＰＵはＳＰＩを介してコマンドを送り、周波数合成器と受信機セクションとをアクティブ化して、着信メッセージを受信する準備を整える。
【０００５】
ＣＰＵ，メモリ，ＰＬＬ，ＳＰＩ，周波数合成器および受信機セクションを覚醒させ動作させて、受信したメッセージをモニタするにはかなりの量の電力が必要であり、メッセージ受信窓を頻繁に（例：２秒間隔）使用する通信プロトコルでは特にそうである。
【０００６】
【発明が解決しようとする課題】
そのため、着信をモニタする時間の間、遠隔無線通信装置の電力消費量を低減する必要性が存在する。
【０００７】
【実施例】
図１を参照して、遠隔無線通信装置１０のブロック図が、従来型集積回路プロセスを用いた集積回路としての実現のために示される。遠隔無線通信装置は、ページャ，セルラ電話，双方向無線またはその他の通信装置内に含めることができる。遠隔無線通信装置１０は、バッテリ電源（図示せず）から動作電力を受け取る。送受信器１２は、アンテナ１４を介してメッセージを送受信する。トランシーバ１２は、基準周波数に従って着信メッセージをダウンコンバートし、復調して、通信路１６にベースバンド・データを与える。プログラム可能周波数合成器１８は、基準周波数をトランシーバ１２に与える。周波数合成器１８は、動作周波数コマンドを受け取り、コマンドをアクティブ／非アクティブ化し、ＰＬＬロック状態を提供するための端子を有する。周波数合成器１８は、ＰＬＬとして実現され、ロック検出信号などの状態信号を発生する。
【０００８】
ベースバンド・データは、メッセージ制御ブロック２０の入力に送信される。メッセージ制御回路ブロック２０の出力は、ＳＢＵＳ（状態および制御バス）であり、これは制御信号およびコマンド信号をＩ／Ｏインタフェース２２に送る。Ｉ／Ｏインタフェース２２は、複数の双方向レジスタおよび／またはパススルー（pass-through）バッファによって構成され、制御信号およびコマンド信号を送受信する。メッセージ制御ブロック２０からのコマンド信号の一つが、トランシーバＯＮ／ＯＦＦ制御信号で、これは、Ｉ／Ｏインタフェース２２を介して、トランシーバ１２と結合される。トランシーバＯＮ／ＯＦＦ制御信号の第１の値は、トランシーバ１２をアクティブにし、トランシーバＯＮ／ＯＦＦ制御信号の第２の値は、トランシーバ１２を非アクティブにする。
【０００９】
ＣＰＵ２８または他のマイクロコントローラは、遠隔無線通信装置１０の主コントローラである。ＣＰＵ２８は、周辺バス（ＰＢＵＳ）を介してメモり３０と双方向で通信して、データ，コマンドおよび命令を格納し、検索する。メモり３０は、ＲＡＭ，ＲＯＭまたはその他の適切な記憶装置として実現される。システム・クロック発振器３４は、ＰＬＬを用いて、遠隔無線通信装置１０のためのシステム・クロック信号を発生する。
【００１０】
遠隔無線通信装置１０に電源が投入されるとき、または新しいローミング・エリアに入るときに、装置を初期化するため、ＣＰＵ２８は、ＰＢＵＳを介して、メモり３０からコマンドと命令とを検索する。コマンドおよび命令は、シリアル周辺インタフェース（ＳＰＩ）３６によって、メッセージ制御ブロック２０に送られる。ＳＰＩ３６は全二重であり、データ伝送レジスタ，データ受信レジスタおよび制御レジスタを含む。データ送受信レジスタは、データを伝送するには書き込み専用として、またはデータを受信するには読み出し専用として構成される。制御レジスタ（ｉ）は、クロックの極性と位相同期を制御し、（ｉｉ）伝送プロトコルをマスタまたはスレーブになるようにアクティブ化し、（ｉｉｉ）動作プロトコル（例：ＣＰＵ割込）を構成し、（ｉｖ）ハンドシェークを処理し（例：送信機を空にして、受信機をいっぱいにする）、（ｖ）エラー処理を行う。メッセージ制御ブロック２０は、現在のローミング・エリアのために規定されたメッセージ・プロトコルに従って構成される。一つの例では、メッセージ・プロトコルは、トランシーバ１２によってメッセージを受信できる窓を規定する。メッセージ受信窓は、着信メッセージの有無をチェックする必要に応じて、種々の期間に亘って発生し、最高２秒間隔で繰り返す。この初期化シーケンスまたは初期化プロセスはまた、周波数合成器１８の基準周波数を設定する。ＣＰＵ２８は、ＳＰＩ３８を介して周波数合成器１８にコマンド（ＦＳコマンド）を送る。ＦＳコマンドは、周波数合成器１８内に格納され、当該ローミング・エリアに従って、トランシーバ１２の基準周波数を設定する。初期化シーケンスが完了したなら、遠隔無線通信装置１０のすべての構成要素（メッセージ制御ブロック２０は除く）、すなわちＣＰＵ２８，メモり３０，ＰＢＵＳ，システム・クロック発振器３４，ＳＰＩ３６，周波数合成器１８およびトランシーバ１２は、休眠状態にされるか、またはその他の方法で非アクティブ化されて、電力消費量を低減する。メッセージ制御ブロック２０はアクティブ状態のままになり、ＣＰＵ２８によって初期化されたメッセージ・プロトコルに従って、タイミングを常時監視する。
【００１１】
遠隔無線通信装置１０の各部分は、覚醒されるか、またはその他の方法によりアクティブ化されて、メッセージ受信窓の間、メッセージをモニタする。しかしながら、電力消費量を最小限に抑えるには、遠隔無線通信装置１０の中で、メッセージ受信窓の間動作している部分を減らすことが望ましい。
【００１２】
本発明は、ＳＰＩと合体された周波数合成制御器（ＦＳＣ）３８を含み、周波数合成器１８をアクティブ、非アクティブ化するＦＳ ＯＮ／ＯＦＦコマンドを生成する。メッセージ受信窓の直前に、メッセージ制御ブロック２０が、ＳＢＵＳを介して、ＦＳＣ ＳＰＩ３８にコマンドを送る。ＦＳＣ ＳＰＩ３８は、データ，クロックおよびストローブ信号を含むＦＳ ＯＮ／ＯＦＦコマンドを、内部レジスタから生成し、 ＦＳ ＯＮ／ＯＦＦコマンドをＩ／Ｏインタフェース２２を介して周波数合成器１８に送信する。ＦＳ ＯＮ／ＯＦＦコマンドは、周波数合成器１８をアクティブにして、メッセージ受信窓の間に亘って、予めプログラムされた基準周波数をトランシーバ１２に与える。位相同期が達成された後、ＦＳＣ ＳＰＩ３８は、ＰＬＬロック状態要求を、Ｉ／Ｏインタフェース２２を介して周波数合成器１８に渡し、合成器はついで、ロック状態信号を、Ｉ／Ｏインタフェース２２を介してＦＳＣ ＳＰＩ３８に与えて、周波数合成器のＰＬＬが完全に動作しており、所望の周波数に同期されているか否かを知らせる。周波数合成器が位相同期を達成しない状況の場合、ロック状態信号によって、ＦＳＣ ＳＰＩ３８が、ロック検出エラー信号を割込制御器４０に送り、割込制御器はついで、エラー割込を発生してＣＰＵ２８をアクティブ化する。ＣＰＵ２８は、ＳＰＩ３８を介してインタフェースをとって、周波数合成器１８のエラー回復を試み、成功しない場合には、ディスプレイ４２上で、システム・エラー・メッセージをユーザに送る。エラー回復は、周波数合成器１８の動作および周波数をリセットして、位相同期を確立する試みを含む。
【００１３】
メッセージ制御ブロック２０はまた、トランシーバＯＮ／ＯＦＦコマンドを送って、トランシーバ１２をアクティブ化する。トランシーバ１２および周波数合成器１８は、メッセージ受信窓の開始によって動作している。メッセージが受信される場合、ベースバンド・データにダウンコンバートされて復調され、通信路１６上に置かれる。メッセージ制御ブロック２０は、被受信メッセージがないか通信路１６をモニタする。窓の間にメッセージが受信される場合には、メッセージ制御ブロック２０は、割込制御器４０に割込を生成し、割込制御器はついで、ＣＰＵ２８，メモり３０，ＰＢＵＳ，ＳＰＩ３６およびシステム・クロック発振器３４をアクティブにしてメッセージを処理する。メッセージは、ＳＰＩ３６を介してＣＰＵ２８に送られ、最終的に遠隔無線通信装置１０のディスプレイ４２上に表示される。
【００１４】
メッセージ受信窓の後、メッセージ制御ブロック２０はトランシーバＯＮ／ＯＦＦコマンドを送って、トランシーバ１２を非アクティブにする。メッセージ制御ブロック２０はまた、ＳＢＵＳを介してＦＳＣ ＳＰＩ３８にコマンドを送って、周波数合成器１８を非アクティブにする。ＦＳＣ ＳＰＩ３８は、内部レジスタからＦＳ ＯＮ／ＯＦＦコマンドを発生して、ＦＳＯＮ／ＯＦＦコマンドをＩ／Ｏインタフェース２２を介して、周波数合成器１８に送信する。ＦＳ ＯＮ／ＯＦＦコマンドは、基準周波数／パワーダウン（powers-down）周波数合成器１８を非アクティブにする。ほとんどのメッセージ受信窓の間、メッセージは受信されない。そのため、メッセージ受信窓のほとんどのサイクル、すなわち、メッセージが受信されないサイクルでは、ＣＰＵ２８，メモり３０，ＰＢＵＳ，ＳＰＩ３６，システム・クロック発振器３４および関連のソフトウェア命令は、非アクティブ状態を維持し、これにより、装置１０のバッテリ電源からの電力消費量を低減する。
【００１５】
本発明によって、遠隔無線通信装置１０は、ＣＰＵ２８，メモり３０，ＰＢＵＳ，ＳＰＩ３６，システム・クロック発振器３４および関連ソフトウェア命令をアクティブ化しないで、メッセージ受信窓の間メッセージをモニタできる。これらの装置は、かなりの量の電力を消費する。周波数合成器１８をアクティブ化するためだけなら、ＣＰＵ２８，メモり３０，ＰＢＵＳ，ＳＰＩ３６およびシステム・クロック発振器３４の計算・処理能力を使う必要はない。ＦＳＣ ＳＰＩ３８内に、シリアル周辺インタフェースと合体された周波数合成制御機能を設けることによって、周波数合成器１８にとって必要な制御は、他の構成要素をアクティブにしないでも実現される。他の構成要素は、メッセージが実際に受信されるときだけアクティブにされる。遠隔無線通信装置１０は、ほとんどのメッセージ受信窓の間、動作状態にある構成要素の数を低減することによって、電力を節約し、バッテリ寿命を延ばすことができる。メッセージ受信窓が高い頻度、すなわち2秒に１回の間隔で発生するような用途では、かなりの節電になる可能性がある。
【００１６】
図２に目を転じると、ＦＳＣ ＳＰＩ３８の詳細が、ＰＢＵＳと結合されたバス・インタフェース４６を含む形で示される。バス・インタフェース４６は、マルチプレクサ４８の第１入力と結合される出力を有する。バス・インタフェース４６はまた、データをレジスタ５０にロードできる。レジスタ５０内のデータは、バス・インタフェース４６と状態機械５２の動作を制御し、ＦＳ ＯＮ／ＯＦＦコマンドのアクティブ値と非アクティブ値を発生する。状態機械の第１出力は、マルチプレクサ４８の第２入力と結合され、状態機械５２の第２出力は、マルチプレクサ４８の制御入力と結合される。マルチプレクサ４８の出力は、ＳＰＩ５４の入力と結合され、ＳＰＩ５４の出力はＩ／Ｏ制御５６の入力と結合される。Ｉ／Ｏ制御５６の出力は、Ｉ／Ｏインタフェース２２を介して、周波数合成器１８に経路設定される。図１で使用されるのと同じ参照番号を有する図２の構成要素は、同じ機能を提供する。ロック検出器５８は、ＳＢＵＳを介して、メッセージ制御ブロック２０から要求を受け取る。周波数合成器１８からのロック状態信号は、Ｉ／Ｏインタフェース２２を介して、ロック検出器５８と結合され、検出器は前述のように、ロック検出エラー信号を割込制御器４０に与える。
【００１７】
ＦＳＣ ＳＰＩ３８の動作は次のように進行する。メッセージ制御ブロック２０は、ＳＢＵＳを介して状態機械５２にコマンド信号を与える。以下に記載するように、状態機械５２は、マルチプレクサ４８を制御して、バス・インタフェース４６を介してＰＢＵＳからの信号を渡すか、または状態機械５２からの信号を渡す。初期化プロセスの間、メッセージ制御ブロック２０は、状態機械５２に適切なコマンドを送り、これにより、マルチプレクサ４８はバス・インタフェース４６からの信号を渡す。周波数合成器１８を構成するのに必要なコマンドは、ＣＰＵ２８によって、ＰＢＵＳを介して、バス・インタフェース４６およびマルチプレクサ４８を通ってＰＩ５４に送られる。ＳＰＩ５４は構成信号ＦＳコマンドを、Ｉ／Ｏ制御５６およびＩ／Ｏインタフェース２２を通して、周波数合成器１８に渡す。ＦＳコマンドは、周波数合成器１８内に局所的に格納され、これにより基準周波数が所望の値に設定される。
【００１８】
周波数合成器１８はまた、状態信号およびその他のデータを、Ｉ／Ｏインタフェース２２およびＩ／Ｏ制御５６を通り、ＳＰＩ５４に送出することができる。ＳＰＩ５４は、状態信号をバス・インタフェース４６に渡し、ＰＢＵＳを介して、ＣＰＵ２８またはメモり３０に送り返されるようにする。
【００１９】
メッセージ受信窓の直前に、メッセージ制御ブロック２０は、状態機械５２にコマンドを送り、このコマンドは、状態機械５２からの信号を渡すように、マルチプレクサ４８の制御を切り替える。状態機械５２は、ＦＳ ＯＮ／ＯＦＦコマンドをＳＰＩ５４に送り、ＳＰＩはこのコマンドを、Ｉ／Ｏ制御５６およびＩ／Ｏインタフェース２２を通して周波数合成器１８に渡す。周波数合成器１８は、着信メッセージを受信するように、トランシーバ１２への予めプログラム済みの基準周波数をアクティブ化する。メッセージ制御ブロック２０は、ＳＢＵＳを介してコマンドをトリガして、周波数合成器１８のＰＬＬロック状態をチェックする。周波数合成器のＰＬＬが基準周波数と同期される場合には、ロック信号は、このような状態をロック検出器５８に知らせる。周波数合成器のＰＬＬが基準周波数と同期できない場合には、ロック信号はかかる障害をロック検出器５８に知らせ、この検出器によって、割込制御器４０は、ＣＰＵ２８に適切な割込を生成して、エラーの回復と処理を行わせる。メッセージ制御ブロック２０は、メッセージ受信窓の間、着信メッセージをモニタする。窓の後、メッセージ制御ブロック２０は、ＦＳＣ ＳＰＩ３８にコマンドを送り、前述のように周波数合成器１８を非アクティブ化する。
【００２０】
ＦＳＣ ＳＰＩ３８は、メッセージ制御ブロック２０からのコマンド信号に依存して、２つのモードのうち１つで動作する。一つのモードでは、ＦＳＣ ＳＰＩ３８は、ＣＰＵ２８からのコマンドを渡すためのシリアル周辺インタフェースとして動作し、周波数合成器１８を初期化して、エラー回復を実行し、返される状態信号を受信する。第２のモードでは、ＦＳＣ ＳＰＩ３８は、周波数合成器１８の動作をアクティブ、非アクティブにする周波数合成制御器であり、ＰＬＬロック状態をチェックする。周波数合成制御器は、遠隔無線通信装置１０が、完全かつ電力を消耗するＣＰＵ２８の処理機能と関連機能ブロックを利用しなくても、メッセージ受信窓の間、着信メッセージをモニタできるようにする。ＣＰＵ２８は、メッセージが受信される場合にだけアクティブ化される。シリアル周辺インタフェースと合体された周波数合成制御器は、遠隔無線通信装置１０の総電力消費量を低減する。
【００２１】
状態機械５２は、内部論理と制御レジスタを利用し、メッセージ制御ブロック２０からのコマンドに応答して、レジスタ５０からのＦＳ ＯＮ／ＯＦＦコマンド信号を読み取り、それらをＳＰＩ５４に書き込むのに必要なデータ，アドレスおよび制御信号を生成する。メッセージ制御ブロック２０から、ＦＳＣ機能をアクティブにするコマンドを受け取ると、状態機械５２は、状態機械からの信号を渡すように、マルチプレクサ４８を切り替える。状態機械５２は、ＦＳ ＯＮ／ＯＦＦ制御信号の第１部分を送って、ＳＰＩ５４とのハンドシェーク動作により、周波数合成器１８をアクティブにする。ＳＰＩ５４は、ＳＰＩ５４が、ＦＳ  ＯＮ／ＯＦＦ制御信号をさらに受信できる準備が整っているときを、状態機械５２に知らせる通信を返す。いったんＦＳ ＯＮ／ＯＦＦ制御信号が送出されたなら、周波数合成器１８は、完全な動作状態になって、メッセージ受信窓の間、基準周波数をトランシーバ１２に与える。メッセージ受信窓の後、メッセージ制御ブロック２０は、もう一つのコマンドをＦＳＣ ＳＰＩ３８に送って、周波数合成器１８を非アクティブにする。状態機械５２は、内部レジスタからＦＳ ＯＮ／ＯＦＦ制御信号を発生して、ＳＰＩ５４とのハンドシェイキング動作により第１の部分を送る。ＳＰＩ５４は、ＳＰＩ５４が、ＦＳ ＯＮ／ＯＦＦ制御信号をさらに受信できる準備が整っているときを状態機械５２に知らせる通信を返す。いったんＦＳ ＯＮ／ＯＦＦ制御信号が送出されたなら、周波数合成器１８は、再び非アクティブ化されて、電力を節約する。状態機械５２は、バス・インタフェース４６から信号を渡すようにマルチプレクサ４８を切り替えることができる。
【００２２】
以上から、本発明が、通信プロトコルにより決定される予め定められた間隔で発生する窓の間、ページャのような、メッセージを受信する遠隔無線通信装置を提供することが理解されよう。遠隔無線通信装置は、マイクロコントローラを使って、機能ブロックを初期化して、メッセージとエラーの処理を実施する。マイクロプロセッサと、他のほとんどの機能ブロックは、メッセージ受信窓の間は非アクティブ化されて、電力を節約する。各メッセージ受信窓のためにメッセージをモニタするのに、マイクロコントローラの完全かつ電力を消耗する処理能力を必要としない。周波数合成制御機能は、シリアル周辺インタフェースとともに周波数合成器に組み込まれて、メッセージ受信窓の直前および発生中、周波数合成器をアクティブにする。周波数合成制御器は、マイクロコントローラをアクティブにしないで、窓の発生中、メッセージをモニタするのに必要な制御を与えることによって、電力を節約する。
【図面の簡単な説明】
【図１】  遠隔無線通信装置のブロック図である。
【図２】  図１のＦＳＣ ＳＰＩブロックについての詳細図である。
【符号の説明】
１０  遠隔無線通信装置
１２  送受信機
１４  アンテナ
１６  通信路
１８  周波数合成器
２０  メッセージ制御ブロック
２２  Ｉ／Ｏインタフェース
２８  ＣＰＵ
３０  メモり
３４  システム・クロック発振器
３６  シリアル周辺インタフェース（ＳＰＩ）
３８  シリアル周辺インタフェースと合体された周波数合成制御器（ＦＳＣ ＳＰＩ）
４０  割込制御器
４２  ディスプレイ
４６  バス・インタフェース
４８  マルチプレクサ
５０  レジスタ
５２  状態機械
５４  ＳＰＩ
５６  Ｉ／Ｏ制御
５８  ロック検出器
【図１】
0004324290.tif 000002
【図２】
0004324290.tif 000003